(57)【要約】【課題】本発明は、撮影光学系および撮像素子を備え、撮影光学系で撮像素子上に被写体像を結像して画像データを生成するカメラに関し、フラッシュ発光部とセルフタイマ発光部を横に並べ、かつスライドドアのスライド量を抑える。【解決手段】ハウジング１２の、撮影開口１１１ａおよび第１の発光部開口１１１ｂの各位置、および、スライドドア１３の、スライド量および第２の発光部開口１３１の位置が、スライドドアの閉時に、第１の発光部開口１１１ｂの一部と第２の発光部開口１３１の一部が重なるとともに、第１の発光部開口１１１ｂの、第２の発光部開口１３１と重なる部分が第２の発光部開口１３１に取り付けられたカバー１３２で覆われるようにアレンジされている。【選択図】        図６
2006221035.tif 000002
【特許請求の範囲】
【請求項１】
撮影光学系および撮像素子を備え該撮影光学系で該撮像素子上に被写体像を結像して画像データを生成するカメラにおいて、
このカメラが、撮影操作から所定秒時経過後に撮影を行なうセルフタイマモードを有し、
撮影に同期してフラッシュ光を発光するフラッシュ発光部と、
前記セルフタイマモードにおいて撮影が行なわれることを知らせる、前記フラッシュ発光部の、前記撮影光学系から離れた側に横に並べて配置されたセルフタイマ発光部と、
前記撮影光学系が覗く撮影開口、および前記フラッシュ発光部と前記セルフタイマ発光部との双方が覗く第１の発光部開口を有するハウジングと、
前記ハウジング前面を左右にスライドして前記撮影開口を開閉するとともに、開時に、前記フラッシュ発光部および前記セルフタイマ発光部双方の前面に位置するとともに、開時における該セルフタイマ発光部の前面に光拡散透過性のカバーが取り付けられた第２の発光部開口を有するスライドドアとを備え、
前記ハウジングの、前記撮影開口および前記第１の発光部開口の各位置、および、前記スライドドアの、スライド量および前記第２の発光部開口の位置が、該スライドドアの閉時に、前記第１の発光部開口の一部と前記第２の発光部開口の一部が重なるとともに、該第１の発光部開口の、該第２の発光部開口と重なる部分が該第２の発光部開口に取り付けられた前記カバーで覆われるようにアレンジされてなることを特徴とするカメラ。
【発明の詳細な説明】
【技術分野】
【０００１】
本発明は、撮影光学系および撮像素子を備え、撮影光学系で撮像素子上に被写体像を結像して画像データを生成するカメラに関する。
【背景技術】
【０００２】
近年、撮像素子上に被写体像を結像して画像データを生成するタイプの、いわゆるデジタルカメラが急速に普及してきており、益々の小型化、薄型化が進んでいる。また、デザイン的にも様々な形状のものが登場してきている。
【０００３】
カメラの前面には撮影光学系が覗いており、撮影光学系の保護のために、非撮影時には撮影光学系前面を覆うと共に撮影時には撮影光学系前面を開放するように開閉する、スライドドア等の保護部材が備えられているカメラも多い。
【０００４】
カメラの前面には、通常、撮影光学系が覗く開口だけではなく、フラッシュ撮影のためのフラッシュ発光部が備えられており、開閉動作によって撮影光学系の前面とフラッシュ発光部前面との双方を開閉するように構成された保護部材も知られている（特許文献１，２参照）。
【０００５】
さらに、カメラには、撮影操作から所定秒時（例えば１０秒）経過後に撮影を行なうセルフタイマモードを有するものがあり、その場合、カメラ前面に、セルフタイマ撮影が行なわれていることを知らせるためのＬＥＤなどのセルフタイマ発光部が配置される。
【特許文献１】特開２００４−３４８０５９号公報
【特許文献２】特開２００４−３４８０６９号公報
【発明の開示】
【発明が解決しようとする課題】
【０００６】
ここで、デザイン上の観点からフラッシュ発光部とセルフタイマ発光部を横に並べて配置することによりスライドドアに設ける開口の数を減らすことを考える。この場合、フラッシュ発光部も通常は横長であって、セルフタイマ発光部をその横に備えるとかなり横長となり、スライドドアにはその横長に対応した横長の開口を設ける必要がある。
【０００７】
ところが、この場合、スライドドアをその横長の寸法分だけ横にスライドするように構成すると、かなり大きなスライド量となり、その分カメラが大型化し、小型化の要請に反することとなる。
【０００８】
本発明は、上記事情に鑑み、フラッシュ発光部とセルフタイマ発光部を横に並べ、かつスライドドアのスライド量を抑えたカメラを提供することを目的とする。
【課題を解決するための手段】
【０００９】
上記目的を達成する本発明のカメラは、撮影光学系および撮像素子を備え撮影光学系で撮像素子上に被写体像を結像して画像データを生成するカメラにおいて、
このカメラが、撮影操作から所定秒時経過後に撮影を行なうセルフタイマモードを有し、
撮影に同期してフラッシュ光を発光するフラッシュ発光部と、
セルフタイマモードにおいて撮影が行なわれることを知らせる、フラッシュ発光部の、撮影光学系から離れた側に横に並べて配置されたセルフタイマ発光部と、
撮影光学系が覗く撮影開口、およびフラッシュ発光部とセルフタイマ発光部との双方が覗く第１の発光部開口を有するハウジングと、
ハウジング前面を左右にスライドして撮影開口を開閉するとともに、開時に、フラッシュ発光部およびセルフタイマ発光部双方の前面に位置するとともに、開時におけるセルフタイマ発光部の前面に光拡散透過性のカバーが取り付けられた第２の発光部開口を有するスライドドアとを備え、
上記ハウジングの、撮影開口および第１の発光部開口の各位置、および、スライドドアの、スライド量および第２の発光部開口の位置が、スライドドアの閉時に、第１の発光部開口の一部と第２の発光部開口の一部が重なるとともに、第１の発光部開口の、第２の発光部開口と重なる部分が第２の発光部開口に取り付けられた上記カバーで覆われるようにアレンジされてなることを特徴とする。
【発明の効果】
【００１０】
本発明によれば、フラッシュ発光部の隣りにセルフタイマ発光部を備え、スライドドアの上記第２の発光部開口の、開時におけるセルフタイマ発光部前面に光拡散性のカバーを備え、閉時にはフラッシュ発光部前面の、スライド量の足りない部分をそのカバーで覆うように構成したものであり、フラッシュ発光部の横にセルフタイマ発光部を備えるというデザイン上の要請を満足しつつスライドドアのスライド量を抑えることができ、小型化が図られる。
【発明を実施するための最良の形態】
【００１１】
以下、本発明の実施の形態について説明する。
【００１２】
図１、図２は、本発明の一実施形態としてのカメラの、それぞれスライドドアを閉じた状態、およびスライドドアを開いた状態の前面を斜め上から見て示した斜視図、図３は、図１、図２に示すカメラの背面を斜め上から見て示した斜視図である。
【００１３】
図１〜図３に示すカメラ１０の外観は、主に、前面側ハウジング１１と、背面側ハウジング１２と、スライドドア１３とにより成り立っている。
【００１４】
前面側ハウジング１１は、前面１１１と、上面１１２と下面１１３を形成しており、背面側ハウジング１２は、背面１２１と、両側面１２２，１２３を形成している。また、スライドドア１３は、前面側ハウジング１１の前面１１１に接して左右にスライドする。
【００１５】
スライドドア１３は、図１に示す閉位置と図２に示す開位置との間で左右にスライド自在となっており、図２に示す開位置にあるときには、前面側ハウジング１１の前面１１１に設けられた撮影開口１１１ａおよび撮影開口１１１ａから覗く撮影レンズ１４の前面を開放し、図１に示す閉位置にあるときには、撮影開口１１１ａおよび撮影レンズ１４の前面を覆う構成となっている。
【００１６】
また、このスライドドアの略中央上部には、横長の開口１３１が形成されており、その開口１３１のうちの撮影レンズ１４側の部分１３１ａは表裏に貫通し、撮影レンズ１４から離れた側の一部分は、たとえば乳白色のアクリル板等、光拡散透過性の部材からなるカバー１３２が嵌め込まれている。スライドドア１３が図１に示す閉状態にあるときは、そのスライドドア１３の開口１３１の貫通した部分１３２ａからはその裏側の前面側ハウジング１１の前面１１１が見える状態とあり、図２に示す開状態では、スライドドア１３の開口１３１は、フラッシュ撮影を行なうときに発光するフラッシュ発光部１５前面を開いた状態となる。また、このカメラ１０は、シャッタボタンを押下してから１０秒後に撮影を行なうセルフタイマモードを有し、スライドドア１３が閉状態にあるときの光散乱透過性のカバー１３２の裏側には、セルフタイマモードにおいてシャッタボタン押下から７秒間はゆっくりと点滅し残りの３秒間は高速に点滅することによりセルフタイマ撮影が行なわれることを知らせるセルフタイマ用のＬＥＤが配置されている。
【００１７】
また前面側ハウジング１１には、上述したようにその前面１１１に撮影開口１１１ａを有するとともに、その上面１１２には、シャッタボタン１６および静止画撮影／動画撮影切替レバー１７が配置され、さらに、その上面１１２には、内部に備えたマイクロホンに音声を導くための受話口１１２ａが設けられている。
【００１８】
また、背面側ハウジング１２は、左右の合計４本のビス１８で前面側ハウジング１１に固定されており、その背面側ハウジング１２の図１に示す撮影レンズ１４側の側面１２２には、内部に配置されたスピーカからの音を放つ放音口１２２ａが設けられている。また、この背面側ハウジング１２の、図３に示す側面１２３には、このカメラ１０での撮影画像を赤外線通信で送信するための赤外線通信部１９が配置され、その下部にはストラップを取り付けるための一対のストラップ取付穴１２３ａ，１２３ｂが設けられている。
【００１９】
また、背面側ハウジング１２により形成された背面１２１には、Ｔ／Ｗ（テレ／ワイド）切替レバー２０、滑り止め部材２１、撮影／再生切替ボタン２２、ファンクションボタン２３、４方向キー２４、ＯＫキー２５、ＤＩＳＰ／ＢＡＣＫキー２６、および画面表示用のＬＣＤパネル２７が配置されている。
【００２０】
ここで、Ｔ／Ｗ切替レバー２０は、撮影レンズ１４（図２参照）の焦点距離切替用のレバーである。また、滑り止め部材２１は、このカメラ１０を撮影のために右手で持ったときに右手の親指をそこに誘導して右手親指の滑りを防止することでこのカメラ１０を撮影のためにしっかりと持つことができるようにするとともに、親指が別の場所に置かれてボタン等が不用意に操作されないようにするためのものである。この滑り止め部材２１は例えばシリコンゴム等からなる乳白色の光散乱透過性のものであって背面１２１から僅かに突出しており、３つの突出部のうちの最も内側の突出部２１ａの内側にはこのカメラ１０への充電時等に点灯する表示用ＬＥＤが配置されている。
【００２１】
また、撮影／再生切替ボタン２２は、１回押すごとにこのカメラ１０のモードを撮影モードと再生モードとに切り替えるためのボタンである。
【００２２】
さらにファンクションボタン２３は、これを押すとＬＣＤパネル２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００２３】
さらに、ＤＩＳＰ／ＢＡＣＫキー２６は、例えば再生モードにおいてＬＣＤパネル２７上に表示される画像の表示態様（１枚の画像のみ表示／数枚のサムネイル画像を並べて表示など）を順次切り替えたり、表示画像を１つ前の画面に戻したりするときに押下するキーである。
【００２４】
図４は、図１〜図３に示すカメラ１０の、前面側ハウジング１１とその前面側ハウジング１１の前面１１１に取り付けられた状態のスライドドア１３を示す図、図５は、スライドドアを取り外した、前面側ハウジング１１を示す図、図６は、カメラ１０からスライドドア１３を取り外して前面側ハウジング１１の前面１１１を示した図である。ただし、図６において、前面側ハウジング１１の前面１１１の開口の奥に見えるはずの内蔵部品の図示は省略してある。
【００２５】
前面側ハウジング１１の上面１１２には、前述した受話口１１２ａのほか、図１〜図３に示すシャッタボタン１６および静止画撮影／動画撮影切替レバー１７がそれぞれ配置される各開口１１２ｂ，１１２ｃが設けられており、また前面側ハウジング１１の前面１１１には、図５に示すように、前述した撮影開口１１１ａのほか、図７に示すフラッシュ発生部１５とセルフタイム用のＬＥＤ３１の双方が配置される発光部開口１１１ｂやその他の複数の開口が形成されている。
【００２６】
スライドドア１３が図２に示す開位置に移動しているときは、そのスライドドア１３に設けられた開口１３１の貫通した部分１３１ａは、フラッシュ発光部１５の前面に位置し光拡散透過性のカバー１３２は、セルフタイマ用のＬＥＤ３１の前面に位置する。このスライドドア１３が、図１および図４に示す閉位置に移動すると、スライドドア１３の開口１３１のうちの、貫通した部分１３１ａは、図５、図６に示す前面側ハウジング１１の前面１１１の発光部開口１１１ｂ内に片持ち梁形状に延びる遮蔽部１１１ｃの前面に位置しスライドドア１３の開口のうちの、貫通した部分１１３ａからはその裏側にある前面側ハウジング１１（遮蔽部１１１ｃ）が見える。ただし、このスライドドア１３の開口１３１のうちのカバー１３２が嵌め込まれた部分は、フラッシュ発光部１５の一部と重なっており、このフラッシュ発光部１５は、このカバー１３２の存在によってカメラ前面から見えないようになっている。
【００２７】
このように、本実施形態のカメラ１０では、デザイン上の要請からフラッシュ発光部１５をセルフタイマ用のＬＥＤ３１を横に並べたにもかかわらず、スライドドア１３のスライド量を抑えてスライドドア１３の閉時にはフラッシュ発光部１５を覆うことができ、デザインに優れ、かつ小型化を実現している。
【００２８】
次に、図４に示す円Ａ、円Ｂの部分の構造について説明する。
【００２９】
前面側ハウジング１１の前面１１１からカーブを描いて上面１１２の一部を形成する部分（ここではこの部分を、前面１１１を含めて接触面１１４と称する）はスライドドア１３の裏面と接触しており、前面側ハウジング１１の接触面１１４の上下両側には、その接触面１１４に対し立設し、スライドドア１３の上下の端面１３３，１３４に向き合ってその端面１３３，１３４に沿って左右に延びる立壁１１２ｄ，１１１ｄを有する。ここでは、これら上下２箇所の構造のうち、上側の構造で代表させて説明を続ける。
【００３０】
図７、図８は、前面側ハウジングの上側の立壁の一部分を示した構成図であり、図７は比較例、図８は、本実施形態の構造の概要を示している。
【００３１】
図７、図８とも、前面側ハウジングについては実線で示し、スライドドアについては一点鎖線で示してある。また、図７（Ａ）、図８（Ａ）は斜視図、図７（Ｂ）、図８（Ｂ）は側面図である。
【００３２】
前面側ハウジングには、接触面１１４から立設してスライドドア１３の端面１３３と向き合って延びる立壁１１２ｄが形成されている。
【００３３】
本実施形態の前面側ハウジングは、押出成型で作られており、この押出成型の金型を使い続けるとその金型の凸部（製品上の凹部）が徐々に削れてしまい、その結果、前面側ハウジングがその金型を使い始めた初期の状態で図７の形状の立壁１１２ｄを有する場合、その金型を使い続けると、図７に点線で示すように接触面１１４と立壁１１２ｄとの間が埋まり、スライドドア１３との嵌め合わせの悪いものが出来てしまい、その立壁１１２ｄとスライドドア１３の端１３２との間に隙き間が生じてデザインが悪化したカメラとなり、さらに極端にその嵌め合わせが悪化すると組立て不良となって製品として使えなくなってしまい、金型の寿命が短命に終わる結果となる。
【００３４】
これに対し、本実施形態のカメラの場合、図８に示すように、その立壁１１２ｄの、接触面１１４に接する部分に、スライドドア１３の端面１３３から離れる側に窪んでその端面１３３に沿って延びる溝１１２ｅが形成されている。
【００３５】
こうすることにより、金型を使い続けてその溝１１２ｅが多少埋まっても前面側ハウジングに対しスライドドアが高精度に嵌め合わされる。また、この溝１１２ｅは、立壁１１２ｄの奥側（接触面１１４側）に形成されているため、外観にはあらわれにくく、デザイン上も優れたものとなる。
【００３６】
図９は、本実施形態のカメラの背面側ハウジング１２の裏面側を示す斜視図、図１０、図１１は、その背面側ハウジング１２のストラップ取付用の部品を分解して示す、それぞれ別の角度から見た分解斜視図である。
【００３７】
図９に示すように、背面側ハウジング１２の一方の側面１２３には、開口１２３ｃに、図１０に示す形状の、前述した赤外線通信部１９が設けられており、さらにその側面１２３には一対のストラップ取付穴１２３ａ，１２３ｂが設けられている。また、この側面１２３および反対側の側面には、この背面側ハウジング１２を前面側ハウジングに固定するためのビスを通すビス穴１２３ｄ，１２３ｅ，１２２ｄ，１２２ｅが形成されている。
【００３８】
背面側ハウジング１２のストラップ取付穴１２３ａ，１２３ｂには、図１０、図１１に示す形状の保護部材３２が嵌め込まれ、その裏側から保持部材３３が当てがわれる。
【００３９】
ここで保護部材３２には、２つストラップ取付穴１２３ａ，１２３ｂに対応して２つの開口３２１ａ，３２１ｂが形成されるとともに、それらの開口３２１ａ，３２１ｂを取り巻いて立設した立壁３２２ａ，３２２ｂが形成されている。この立壁３２２ａ，３２２ｂの高さは、背面側ハウジング１２の肉厚と同一の寸法であるが、開口３２１ａ、３２１ｂの深さ寸法は、背面側ハウジング１２の肉厚と保護部材３２の肉厚とを合わせた十分に大きな寸法となっている。
【００４０】
ここでは、この保護部材３２の立壁３２２ａ，３２２ｂが背面側ハウジング１２の側面１２３の２つのストラップ取付穴１２３ａ，１２３ｂに嵌め込まれる。背面側ハウジング１２の肉厚は、小型、軽量化を図るため、またコストも引き下げるために必要な強度を持つことができる範囲で極力薄くなっており、このストラップ取付穴１２３ａ，１２３ｂにストラップが直接に接すると使用中にストラップを傷つけストラップが切れてしまうおそれがある。
【００４１】
ここでは、ストラップ取付穴１２３ａ，１２３ｂに保護部材３２を嵌め込むようにしたためストラップはその保護部材３２の開口３２１ａ、３２１ｂの内壁に接することとなり、ストラップの傷つきや切断が防止される。
【００４２】
また、保持部材３３には、一方のストラップ取付穴（例えばストラップ取付穴１２３ａ）に挿入されたストラップをもう一方のストラップ取付穴（例えばストラップ取付穴１２３ｂ）に導く通路３３１が形成されており、ストラップ取付けがスムーズに行なわれるよう工夫されている。また、この保持部材３３には、赤外線通信部１９を構成する部品を背面に突出させてその周囲部分を抑えるための開口３３２が形成されている。さらに、この保持部材３３には、背面側ハウジング１２の側面１２３に設けられた２つのビス穴１２３ｄ，１２３ｅとそれぞれ連通する２つのビス穴３３３ａ，３３３ｂが設けられており、２つのビス１８（図３参照）により、背面側ハウジング１２と一緒に前面側ハウジングに固定され、これにより赤外線通信部１９を構成する部品およびストラップ保護用の保護部材３２が、保持部材３３により、各開口１２３ｃ，１２３ａ，１２３ｂに嵌入した状態に保持される。
【００４３】
図１２、図１３は、本実施形態のカメラの、背面側のいくつかの部品を分解してそれぞれ別の角度から示した斜視図である。
【００４４】
図１２、図１３には、図３に示すようにカメラ背面１２１に配列された各種のボタン類、すなわち、Ｔ／Ｗ切替レバー２０、撮影／再生切替ボタン２２、ファンクションボタン２３、４方向キー２４、ＯＫキー２５、およびＤＩＳＰ／ＢＡＣＫキー２６と、滑り止め部材２１の組立構造が示されている。すなわち、背面側ハウジング１２の内側に各種ボタン類や滑り止め部材２１が配置された操作板４１が配置され、さらにその内側に操作板４１の操作を検出するセンサ基板４２が配置され、さらにその内側から、操作板４１およびセンサ基板４２を背面側ハウジング１２の内側に固定するための固定部材４３が配置されている。
【００４５】
ここで、操作板４１に配置された各種ボタン類や滑り止め部材２０は、背面側ハウジング１２に設けられた複数の開口にそれぞれ嵌入するように配置される。例えば滑り止め部材２０は３つの突出部から形成されており、それら３つの突出部は背面側ハウジングに設けられた滑り止め部材配置用の３つの開口１２５にそれぞれ嵌入される。
【００４６】
ここで、滑り止め部材２１を構成する３つの突出部のうちの一番内側の突出部２１ａの裏側には、図１２に示すように凹部２１ｂが形成されており、その凹部２１ｂにセンサ基板４２上の表示用ＬＥＤ４２１が入り込む構造となっている。滑り止め部材２１は光散乱透過性の材料で形成されており、したがってこの滑り止め部材２１は、撮影の際に右手親指をそこに誘導してその右手親指の滑りを防止するとともに、３つの突出部のうちの一番内側の突出部２１ａは、例えば充電中であることを表示するなど、表示用としても兼用される。このように滑り止め部材２１を表示用として兼用することにより、カメラの小型化に寄与する。
【００４７】
ここで、背面側ハウジング２０の内側には、図１２に示すように遮光壁１２６が立設しており、表示用ＬＥＤ４２１が点灯したときにその点灯により一番内側の突出部２１ａのみ点灯させ、その隣りの突出部に光が洩れないよう工夫されている。
【００４８】
図１４は、各種のボタン類等が取り付けられた状態の背面側ハウジングの斜視図、図１５は各種ボタン類等を取り去って背面側ハウジングのみを示した斜視図、図１６は背面側ハウジングをその内面側から見て示した斜視図である。
【００４９】
図１５、図１６に示すように、背面側ハウジング１２にはＬＣＤパネル２７を取り付けるための大きな開口１２７が形成されており、その開口の周囲には、ＬＣＤパネル２７を支持する鍔部１２８が形成されている。この鍔部１２８は、背面側ハウジング１２の、図１５に示す外側を向いた表面において、その鍔部１２８に隣接する隣接部１２９との間に段差を持って厚さを減じている。これに対し、背面側ハウジング１２の内側の面は、鍔部と隣接部との厚さ上の区別はなく同一面に形成されている。
【００５０】
図１７は、ＬＣＤパネルが配置される開口の周囲部分の構造の比較例を示した図、図１８は、本実施形態におけるＬＣＤパネルが配置される開口の周囲部分の構造を示した図である。
【００５１】
従来は、図１７に示すように、表面側において隣接部１２９′との境界に段差を持たせた分、鍔部１２８′の内面側が突出し内面側にも段差が形成されている。この場合、その内面側が突出した分、部品配置スペースが狭められ、大型化の要因となる。
【００５２】
これに対し、本実施形態では、図１８に示すように、もともとは同一厚さの板材を圧縮加工することにより、鍔部１２８と隣接部１２９との間の段差は背面側ハウジングの表面にのみ設けられ、内側の面は同一面に形成されている。
【００５３】
こうすることにより、表面側の段差によりＬＣＤパネル２７を鍔部１２８に精度良く支持させることができるとともに、部品配置を圧迫することを避けることができる。また、鍔部１２８は厚さを減じた分薄くなるが、その周囲が厚さの厚い隣接部１２９と接しているため、鍔部１２８も十分な強度が保たれている。
【図面の簡単な説明】
【００５４】
【図１】本発明の一実施形態としてのカメラのスライドドアを閉じた状態の前面を斜め上から見て示した斜視図である。
【図２】本発明の一実施形態としてのカメラのスライドドアを開いた状態の前面を斜め上から見て示した斜視図である。
【図３】図１、図２に示すカメラの背面を斜め上から見て示した斜視図である。
【図４】図１〜図３に示すカメラの、前面側ハウジングとその前面側ハウジングの前面に取り付けられた状態のスライドドアを示す図である。
【図５】スライドドアを取り外した、前面側ハウジングを示す図である。
【図６】カメラからスライドドアを取り外して前面側ハウジングの前面を示した図である。
【図７】前面側ハウジングの上側の立壁の一部分の構成の比較例を示した図である。
【図８】本実施形態における、前面側ハウジングの上側の立壁の一部分を示した構成図である。
【図９】本実施形態のカメラの背面側ハウジングの裏面側を示す斜視図である。
【図１０】背面側ハウジングのストラップ取付用の部品を分解して示す分解斜視図である。
【図１１】背面側ハウジングのストラップ取付用の部品を分解して示す分解斜視図である。
【図１２】本実施形態のカメラの、背面側のいくつかの部品を分解して示した斜視図である。
【図１３】本実施形態のカメラの、背面側のいくつかの部品を分解して示した斜視図である。
【図１４】各種のボタン類等が取り付けられた状態の背面側ハウジングの斜視図である。
【図１５】各種ボタン類等を取り去って背面側ハウジングのみを示した斜視図である。
【図１６】背面側ハウジングをその内面側から見て示した斜視図である。
【図１７】ＬＣＤパネルが配置される開口の周囲部分の構造の比較例を示した図である。
【図１８】本実施形態におけるＬＣＤパネルが配置される開口の周囲部分の構造を示した図である。
【符号の説明】
【００５５】
１０    カメラ
１１    前面側ハウジング
１２    背面側ハウジング
１３    スライドドア
１４    撮影レンズ
１５    フラッシュ発光部
１６    シャッタボタン
１７    静止画撮影／動画撮影切替レバー
１８    ビス
１９    赤外線通信部
２０    Ｔ／Ｗ（テレ／ワイド）切替レバー
２１    滑り止め部材
２２    撮影／再生切替ボタン
２３    ファンクションボタン
２４    ４方向キー
２５    ＯＫキー
２６    ＤＩＳＰ／ＢＡＣＫキー
２７    ＬＣＤパネル
３１    ＬＥＤ
３２    保護部材
３３    保持部材
４１    操作板
４２    センサ基板
４３    固定部材
１１１    前面
１１１ｄ    立壁
１１２    上面
１１２ａ    受話口
１１２ｂ    開口
１１２ｃ    開口
１１２ｄ    立壁
１１３    下面
１１４    接触面
１２１    背面１２１
１２２    両側面
１２２ａ    放音口
１２２ｄ，１２２ｅ    ビス穴
１２３    側面
１２３ａ    ストラップ取付穴
１２３ｂ    ストラップ取付穴
１２３ｃ    開口
１２３ｄ，１２３ｅ    ビス穴
１２５    開口
１２７    開口
１２８，１２８′    鍔部
１２９，１２９′    隣接
１３１    横長の開口
１３１ａ    部分
１３２    カバー
１３３    上下の端面
１３４    上下の端面
３２１ａ，３２１ｂ    開口
３２２ａ，３２２ｂ    立壁
３３２    開口
３３３ａ，３３３ｂ    ビス穴
４２１    表示用ＬＥＤ
【図１】
2006221035.tif 000003
【図２】
2006221035.tif 000004
【図３】
2006221035.tif 000005
【図４】
2006221035.tif 000006
【図５】
2006221035.tif 000007
【図６】
2006221035.tif 000008
【図７】
2006221035.tif 000009
【図８】
2006221035.tif 000010
【図９】
2006221035.tif 000011
【図１０】
2006221035.tif 000012
【図１１】
2006221035.tif 000013
【図１２】
2006221035.tif 000014
【図１３】
2006221035.tif 000015
【図１４】
2006221035.tif 000016
【図１５】
2006221035.tif 000017
【図１６】
2006221035.tif 000018
【図１７】
2006221035.tif 000019
【図１８】
2006221035.tif 000020